(57)【要約】      （修正有） 【課題】臀部を高くコンパクトに丸く補整でき、太腿の丸みを抑える補整力を備え、且つスカートファッションの妨げとならず、スカート着用時に気になる椅座位における脚部の開きを防止する機能を持ったタイトスカート型のスカート用ガードルを提供する。【解決手段】スカート着用時の臀部と太腿補整および椅座位における脚部の開きを防止する効果を有する股上のないタイトスカート型のファンデーション下着をストレッチ性のある経編み生地を用い製造する。外衣のタイトスカートと異なり、ウエスト寸、ヒップ寸、裾周り寸は着用サイズよりも小さく設計する。このことにより、臀部と太腿部の補整効果と椅座位の脚部の開きを防止する効果が得られる。また、股上を有しないことで、レッグファッションを自由に楽しむことができスカートファッションを妨げないスカート用ガードルを作ることができる。【選択図】図５
0003141807.tif 000002
【実用新案登録請求の範囲】
【請求項１】
スカート着用時のヒップと太腿補整および椅座位における脚部の開きを防止する効果を有する股上のないタイトスカート型のファンデーション下着。
【請求項２】
請求項１記載のファンデーション下着のずり上がりを防止し、太腿を内側に寄せる機能を有するために、腰骨から反対側の太腿脇接ぎまで続く補強布またはゴムテープを縫合しの下着のフロント部分でクロス状に交わらせた補強と左右それぞれの側面に脇はぎをまたぐ幅４ｃｍから１０ｃｍのウエストから裾まで続く補強を施した股上のないタイトスカート型のファンデーション下着。
【請求項３】
請求項１または請求項２記載のファンデーション下着のヒップと太腿の補整力および、椅座位における脚部の開きを防止する働きをより効果的にし、歩行時の歩幅を小さくするために、左右脇の脇はぎ位置を前方向にずらし、ヒップのふくらみ部分をのぞく背面部分に補強布を縫合した股上のないタイトスカート型のファンデーション下着。
【考案の詳細な説明】
【技術分野】
【０００１】
本考案は、スカート着用時の臀部と太腿部の補整し、且つスカート着用時に目立つ椅座位における脚部の開きを防止することを目的とし、レッグファッションの制限なく、手軽にお洒落なスカートスタイルをたのしめるよう工夫されたタイトスカート型ファンデーション下着に関するものである。
【背景技術】
【０００２】
従来スカート用のファンデーション下着としては、臀部を補整するショート丈のガードルやスキニーズといったアイティムがある。しかし、いずれも裾丈が極めて短いため大腿部の補整力はきわめて低いという難点があった。しかし、大腿部の補整力が十分なロングガードルを着用すると、歩行時や座位においてスカートの裾からみえる可能性があり好まれない。よって、臀部と太腿の補整力が十分で、且つスカートファッションの妨げとならないスカート用のファンデーション下着は見当たらなかった。
【考案の開示】
【考案が解決しようとする課題】
【０００３】
本考案では、臀部を高くコンパクトに丸く補整でき、太腿のボリュームを抑える補整力を備え、且つスカートファッションの妨げとならず、スカート着用時に気になる椅座位における脚部の開きを防止する機能を持ったタイトスカート型のスカート用ガードルの開発を目的とした。
【課題を解決するための手段】
【０００４】
スカート着用時の臀部と太腿補整および椅座位における脚部の開きを防止する効果を有する股上のないタイトスカート型のファンデーション下着をストレッチ性のある経編み生地を用い製造する（図1、図２）。外衣のタイトスカートと異なり、ウエスト寸、ヒップ寸、裾周り寸は着用サイズよりも小さく設計する。このことにより、臀部と太腿部の補整効果と椅座位の脚部の開きを防止する効果が得られる。また、股上を有しないことで、レッグファッションを自由に楽しむことができる。
【０００５】
図1のファンデーション下着に図３のように腰骨２から反対側の太腿脇接ぎ３まで続く補強布またはゴムテープを縫合しの下着のフロント部分５でクロス状に交わらせた補強を施す。さらに、ウエストから裾まで続き脇はぎ１をまたぐ幅4ｃｍから１０ｃｍの補強布４を施すことで、ファンデーション下着のずり上がりを防止し、さらに太腿を内側に寄せる機能を付加できる。
【０００６】
さらに図1、図２又は図３、図４のファンデーション下着を左右脇の脇はぎ１の位置を前方向にずらし、ヒップのふくらみ部分をのぞく背面部分に補強布７を縫合する工夫を施し図５、図６のようにすると、ヒップと太腿の補整力および、椅座位における脚部の開きを防止する働きをより効果的にし、歩行時の歩幅を小さくする機能を付加することができる。
【考案の効果】
【０００７】
本考案の股上のないスカート型ファンデーション下着は、股上を有する従来のガードルと同等に臀部と太腿部を補整する効果をもちつつも、これまでにはなかった椅座位における脚部の開きを防止する機能を持ちスカートスタイルのファッション性を損なわない新しいアイティムを提供する。
【考案を実施するための最良の形態】
【０００８】
本考案のファンデーション下着を製造するにあたり身生地は140〜280デニール程度のポリウレタンを用いたストレッチ素材を用い、着用サイズの80〜97％パターン設計にすることが最適である。140〜280デニール程度のポリウレタンの伸張性回復力とパターン収縮割合のバランスにより、人体の動作を妨げず且つ、無意識の脚部の開きを防止する機能を得ることが可能となる。
【実施例】
【０００９】
ポリウレタンが280デニールのパワーネットのヘム素材を用い、図７および図8に示す股上のないタイトスカート型ガードルを作った。請求項１の機能を満たすために、ウエスト寸、ヒップ寸、裾口寸は、実寸の90％となるようにした。請求項3の機能を満たすために、脇接ぎ位置１は前方に2ｃｍ寄せた設計とした。後ろ身頃には210デニールのパワーネットを背面補強７として縫合した。このとき背面補強は、臀部のふくらみ部分８をのぞく後ろ身頃全ての部分となる。前身頃には、裾部中央に深さ10cmのダーツ６を設け太腿により沿うよう工夫した。その後、幅4ｃｍのゴムテープを用いクロス状の補強テープとして施した。このとき、補強テープの上端２が脇接ぎ部に位置し且つ、腰骨にかかる位置にくるように縫合し、もう一方は反対側の脇接ぎ部３に位置し、前中心線状で2本のテープが交わるクロス状の補強とした。脇はぎ１では、後ろ身頃の補強布および前身頃の補強布、補強テープを前後身頃とともに縫合した。ウエスト口には、2cmの幅のゴムテープを縫合した。これにより、本考案図５に示す股上のないタイトスカート型ガードルが完成した。
【産業上の利用可能性】
【００１０】
タイトスカートは、オフィスユニフォームや女性用ビジネススーツのボトムの定番である。しかし、タイトスカートを着用したときには、臀部や太腿の形が見えやすくなりコンプレックスに感じる女性が多い。また、スカートスタイルで椅座位の際脚部が開いてしまうことに不安を感じる女性も多い。体型のコンプレックスを補整し、椅座位における脚部の開きを防止できるファンデーション下着はこれまでにない。本考案のタイトスカート型ガードルは、より多くの女性がタイトスカートスタイルに自信を持って楽しめる新しいファンデーション下着として市場に受入れらると示唆される。
【図面の簡単な説明】
【００１１】
【図１】図１は本考案請求項１に示したガードルの前面図である。
【図２】図２は本考案請求項１に示したガードルの背面図である。
【図３】図３は本考案請求項２に示したガードルの前面図である。
【図４】図４は本考案請求項２に示したガードルの背面図である。
【図５】図５は本考案請求項３に示したガードルの前面図である。
【図６】図６は本考案請求項３に示したガードルの背面図である。
【符号の説明】
【００１２】
１  脇はぎ
２  補強ベルト上端
３  補強ベルト下端
４  側面補強
５  補強ベルト交点
６  フロント裾ダーツ
７  背面補強
８  臀部ふくらみ部分
【図１】
0003141807.tif 000003
【図２】
0003141807.tif 000004
【図３】
0003141807.tif 000005
【図４】
0003141807.tif 000006
【図５】
0003141807.tif 000007
【図６】
0003141807.tif 000008
【手続補正書】
【提出日】平成20年1月22日(2008.1.22)
【手続補正１】
【補正対象書類名】実用新案登録請求の範囲
【補正対象項目名】全文
【補正方法】変更
【補正の内容】
【実用新案登録請求の範囲】
【請求項１】
スカート着用時の臀部補整と太腿部補整および椅座位における脚部の開きを防止する効果を有するためにポリウレタンによるストレッチ性から十分な補整力を有するニット素材を用い仕上がり寸法においてヒップ寸や裾周り寸が適応サイズ寸法の９９％未満に設計することを特徴とした股上のないタイトスカート型のファンデーション下着
【請求項２】
請求項１記載のファンデーション下着のずり上がりを防止し且つ太腿を内側に寄せる機能を有するために腰骨から反対側の太腿脇接ぎまで続く補強布またはゴムテープを縫合しの下着の正面でクロス状に交わらせた補強部と左右それぞれの側面に脇はぎをまたぐ幅４ｃｍから１０ｃｍのウエストから裾まで続く補強を施した股上のないタイトスカート型のファンデーション下着
【請求項３】
請求項１または請求項２記載のファンデーション下着の臀部と太腿部の補整力および椅座位における脚部の開きを防止する働きをより効果的にし歩行時の歩幅を小さくするために左右の脇はぎ位置を前方向にずらし臀部のふくらみ部分をのぞく背部に補強布を縫合した股上のないタイトスカート型のファンデーション下着